(57)【要約】  【課題】  隣接する２フレームのデータを直交変換して符号化データを生成するとき、復号化装置において使用しない符号化データを出力せず、復号化装置の信号処理負担を軽減する符号化装置と方法を提供する。  【解決手段】  符号化処理部１１は初期符号化処理として、第１番目と第２番目のフレームの音データを、たとえば、ＡＴＲＡＣ処理する。復号化処理部１３は初期符号化処理で生成された第１番目のフレームの符号化音データ♯１Ａ−Ｆを復号処理して復号処理結果状態（ＤＳ）信号を生成する。このＤＳ信号は復号化装置において使用する。すなわち、復号化装置はこのＤＳ信号を用いて第２番目のフレーム以降の符号化音データを迅速に復号でき、復号化装置においてＤＳ信号の生成の処理が不要である。【選択図】    図１
2005215595.tif 000002
【特許請求の範囲】
【請求項１】
隣接するフレームのデータを直交変換処理して符号化する符号化方法であって、
初期符号化処理として、第１フレームのデータと第２フレームのデータとを直交変換処理して符号化する、初期符号化処理ステップと、
前記初期符号化処理において生成された符号化データを復号し、復号処理結果状態（ＤＳ）信号を得る復号処理ステップと、
前記得られたＤＳ信号をビットストリームとして出力する、または記録媒体に記録する復号処理結果状態信号出力ステップと、
第２フレーム以降のデータについて、あるフレームのデータとそのフレームと隣接するフレームのデータとを直交変換処理して符号化する、通常符号化処理ステップと、
該通常符号化処理処理ステップにおいて得られた符号化データをビットストリームとして出力するまたは記録媒体に記録する符号化データ出力ステップと、
前記通常符号化処理ステップの処理と、前記符号化データ出力ステップの処理とを、符号化すべきデータについて反復処理することを管理する、反復処理管理ステップと、
を有する符号化方法。
【請求項２】
前記符号化の対象となるデータは音データであり、
前記初期符号化処理ステップおよび前記通常符号化処理ステップにおける直交変換処理はＡＴＲＡＣ処理である、
請求項１に記載の符号化方法。
【請求項３】
隣接するフレームのデータを直交変換処理して符号化する符号化装置であって、
初期符号化処理として、第１フレームのデータと第２フレームのデータとを直交変換処理して符号化する、初期符号化処理手段と、
前記初期符号化処理手段により生成された符号化データを復号し、復号処理結果状態（ＤＳ）信号を得る復号処理手段と、
前記得られたＤＳ信号をビットストリームとして出力する、または記録媒体に記録する復号処理結果状態信号出力手段と、
第２フレーム以降のデータについて、あるフレームのデータとそのフレームと隣接するフレームのデータとを直交変換処理して符号化する、通常符号化処理手段と、
該通常符号化処理処理手段において得られた符号化データをビットストリームとして出力するまたは記録媒体に記録する符号化データ出力手段と、
前記通常符号化処理ステップの処理と、前記符号化データ出力ステップの処理とを、符号化すべきデータについて反復処理することを管理する、反復処理管理手段と、
を有する符号化装置。
【請求項４】
前記符号化の対象となるデータは音データであり、
前記初期符号化処理手段および前記通常符号化処理手段における直交変換処理は、ＡＴＲＡＣ処理である、
請求項３に記載の符号化装置。
【請求項５】
隣接するフレームの符号化データを逆直交変換処理して符号化前のデータを復号する復号化方法であって、
符号化前の第１フレームのデータと符号化前の第２フレームのデータとの直交変換処理結果としての第１フレームの符号化データを復号したときに得られる復号処理結果状態（ＤＳ）信号を入力し、第２フレーム以降のデータの復号化方法の条件として設定する復号化条件設定ステップと、
第２フレーム以降の符号化データについて順次、隣接する２つのフレームの符号化データを逆直交変換して符号化前の元のフレームのデータを復号する、復号処理ステップと
を有する復号化方法。
【請求項６】
前記復号化の対象となるデータは音データであり、
前記逆直交変換処理は、前記ＡＴＲＡＣ処理の逆の逆ＡＴＲＡＣ処理である、
請求項５に記載の複号化方法。
【請求項７】
隣接するフレームの符号化データを逆直交変換処理して符号化前のデータを復号する復号化装置であって、
符号化前の第１フレームのデータと符号化前の第２フレームのデータとの直交変換処理結果としての第１フレームの符号化データを復号したときに得られる復号処理結果状態（ＤＳ）信号を入力し、第２フレーム以降のデータの復号化方法の条件として設定する復号化条件設定手段と、
第２フレーム以降の符号化データについて順次、隣接する２つのフレームの符号化データを逆直交変換して符号化前の元のフレームのデータを復号する、復号処理手段と
を有する復号化装置。
【請求項８】
前記復号化の対象となるデータは音データであり、
前記逆直交変換処理は、前記ＡＴＲＡＣ処理の逆の逆ＡＴＲＡＣ処理である、
請求項７に記載の復号化装置。
【請求項９】
隣接するフレームのデータを直交変換処理して符号化する符号化方法と、該符号化されたデータを復号する復号化方法とを有する符号化・復号化方法であって、
前記符号化方法は、
初期符号化処理として、第１フレームのデータと第２フレームのデータとを直交変換処理して符号化する、初期符号化処理ステップと、
前記初期符号化処理において生成された符号化データを復号し、復号処理結果状態（ＤＳ）信号を得る復号処理ステップと、
前記得られたＤＳ信号をビットストリームとして出力する、または記録媒体に記録する復号処理結果状態信号出力ステップと、
第２フレーム以降のデータについて、あるフレームのデータとそのフレームと隣接するフレームのデータとを直交変換処理して符号化する、通常符号化処理ステップと、
該通常符号化処理処理ステップにおいて得られた符号化データをビットストリームとして出力するまたは記録媒体に記録する符号化データ出力ステップと、
前記通常符号化処理ステップの処理と、前記符号化データ出力ステップの処理とを、符号化すべきデータについて反復処理することを管理する、反復処理管理ステップと、
を有し、
前記復号化方法は、
前記符号化前の第１フレームのデータと符号化前の第２フレームのデータとの直交変換処理結果としての第１フレームの符号化データを復号したときに得られる復号処理結果状態（ＤＳ）信号を入力し、第２フレーム以降のデータの復号化方法の条件として設定する復号化条件設定ステップと、
第２フレーム以降の符号化データについて順次、隣接する２つのフレームの符号化データを逆直交変換して符号化前の元のフレームのデータを復号する、復号処理ステップと  を有する、
符号化・復号化方法。
【請求項１０】
前記符号化の対象となるデータは音データであり、
前記初期直交変換処理ステップおよび前記通常直交変換処理ステップにおける直交変換処理はＡＴＲＡＣ処理であり、
前記逆直交変換処理は前記ＡＴＲＡＣ処理の逆の逆ＡＴＲＡＣ処理である、
請求項９に記載の符号化・復号化方法。
【請求項１１】
隣接するフレームのデータを直交変換処理して符号化する符号化装置と、該符号化されたデータを復号する復号化装置とを有する符号化・復号化装置であって、
前記符号化装置は、
初期符号化処理として、第１フレームのデータと第２フレームのデータとを直交変換処理して符号化する、初期符号化処理手段と、
前記初期符号化処理手段において生成された符号化データを復号し、復号処理結果状態（ＤＳ）信号を得る復号処理手段と、
前記得られたＤＳ信号をビットストリームとして出力する、または記録媒体に記録する復号処理結果状態信号出力手段と、
第２フレーム以降のデータについて、あるフレームのデータとそのフレームと隣接するフレームのデータとを直交変換処理して符号化する、通常符号化処理手段と、
該通常符号化処理処理手段において得られた符号化データをビットストリームとして出力するまたは記録媒体に記録する符号化データ出力手段と、
前記通常符号化処理手段の処理と、前記符号化データ出力手段の処理とを、符号化すべきデータについて反復処理することを管理する、反復処理管理手段と、
を有する、
符号化・復号化装置。
【請求項１２】
前記符号化の対象となるデータは音データであり、
前記初期符号化処理手段および前記通常符号化処理手段における直交変換処理は、ＡＴＲＡＣ処理であり、
前記復号処理手段における直交変換処理は、前記ＡＴＲＡＣ処理の逆の逆ＡＴＲＡＣ処理である、
請求項１１に記載の符号化・復号化装置。
【発明の詳細な説明】
【技術分野】
【０００１】
本発明は、符号化装置、復号化装置および符号化装置と復号化装置とを有する符号化・復号化装置、ならびに、これらの方法に関する。
特定的には、本発明は、隣接する２フレームのデータ、たとえば、音データを直交変換して、新たな１フレームの符号化データを生成する符号化装置と、そのような符号化データを逆変換して復号する復号化装置と、そのような符号化装置と復号化装置とを有する符号化・復号化装置、ならびに、これらの方法に関する。
さらに特定的には、本発明は、復号化装置における処理負担を軽減するため、第１の符号化音データを復号して復号処理結果状態（ＤＳ）信号を生成して復号化装置に提供する符号化装置と、そのようなＤＳ信号を用いて第２フレーム以降の符号化データを復号する復号化装置と、これら符号化装置と復号化装置とを有する符号化・復号化装置、ならびに、これらの方法に関する。
【背景技術】
【０００２】
各種の楽音、音声などの音データを、記録媒体、たとえば、ＣＤ−ＲＯＭ、ＭＤなどに記録するとき、あるいは、ビットストリームとして提供するとき、圧縮・符号化処理が行われる。
音データの圧縮・符号化処理方法としては各種の方法が適用されているが、そのような方法の１つとして、隣接するフレームの音データを直交変換処理する方法が知られている。そのような２フレームの音データを直交変換処理する技術としては、たとえば、ＡＴＲＡＣ、ＭＰ３などが知られている。
【０００３】
図７（Ａ）、（Ｂ）は、符号化装置において、２フレームの音データを、たとえば、ＡＴＲＡＣ方式で直交変換処理する例を図解した図である。
符号化装置においては、第１番目のフレーム（♯１Ｆ）の音データと第２番目のフレーム（♯２Ｆ）の音データと、ＡＴＲＡＣ方式で直交変換処理して、第１番目のフレーム（♯１Ａ−Ｆ）の新たな符号化データを生成する。この第１番目のフレーム（♯１Ａ−Ｆ）の符号化音データは、ビットストリーム（ＢＳ）として符号化装置から出力されて、たとえば、ＣＤ−ＲＯＭ、ＭＤなどの記録媒体に記録される。
次いで、符号化装置は、第２番目のフレーム（♯２Ｆ）の音データと第３番目のフレーム（♯３Ｆ）の音データとを、たとえば、ＡＴＲＡＣ方式で直交変換処理して、第２番目のフレーム（♯２Ａ−Ｆ）の新たな符号化データを生成する。この新たな第２番目のフレーム（♯２Ａ−Ｆ）の符号化音データは、ビットストリーム（ＢＳ）として符号化装置から出力されて、たとえば、ＣＤ−ＲＯＭ、ＭＤなどの記録媒体に記録される。
以下、第３番目のフレームのデータについて上記同様の処理が行われる。
【０００４】
復号化装置は、上記符号化装置において上述のごとく符号化されて、ＣＤ−ＲＯＭ、ＭＤなどに記録された符号化された音データを読みだして、逆直交変換して、たとえば、逆ＡＴＲＡＣ処理して、符号化装置に入力される前の元の音データを再生する。
【発明の開示】
【発明が解決しようとする課題】
【０００５】
図７（Ｂ）における第１番目のフレーム（♯１Ａ−Ｆ）の符号化音データは、復号化装置において、次の第２番目のフレーム（♯２Ａ−Ｆ）の符号化音データとの逆直交変換処理、たとえば、逆ＡＴＲＡＣ処理にのみ使用され、その復号の結果が、復号化装置の復号処理結果状態（ＤＳ）信号として復号化装置に設定される。
しかしながら、第１番目の音データは破棄されて使用しない。その理由は、２フレームの音データを直交変換して生成したものであるから、単独の第１番目のフレームの音データは意味がないからである。
したがって、第１番目のフレーム（♯１Ａ−Ｆ）の符号化音データを記録媒体に記録することは無駄である。
【０００６】
他方、復号化装置において、第１番目のフレーム（♯１Ａ−Ｆ）の符号化音データを用いて復号化装置の復号処理結果状態（ＤＳ）信号を生成し、復号化装置に設定することは、第２番目のフレームの符号化データの復号が遅れるという不利益に遭遇している。
【０００７】
以上例示として、音データについて、２つの隣接するフレームのデータを直交変換処理して符号化し、また、そのような符号化データを逆直交変換した復号する場合について述べたが、音データに限らず、２フレームのデータを直交変換処理して符号化データを生成する、他のデータ、たとえば、映像データなどについても、上記同様の不利益に遭遇している。
【０００８】
本発明の目的は、上述した無駄な符号化データをビットストリームとして出力せず、あるいは記録媒体の記録せず、かつ、復号化装置の復号時間を短縮可能な符号化装置と方法を提供することにある。
また本発明の目的は、上記符号化装置で符号化されたデータを復号可能な復号化装置であって、符号化装置から提供された復号処理結果状態（ＤＳ）信号を活用して迅速に第２番目のフレームの符号化データを復号可能な復号化装置と方法を提供することにある。
【０００９】
さらに本発明の目的は、上述した符号化装置と復号化装置とを組み合わせた符号化・復号化装置と方法を提供することにある。
【課題を解決するための手段】
【００１０】
本発明の第１の観点によれば、隣接するフレームのデータを直交変換処理して符号化する符号化方法であって、初期符号化処理として、第１フレームのデータと第２フレームのデータとを直交変換処理して符号化する、初期符号化処理ステップと、前記初期符号化処理において生成された符号化データを復号し、復号処理結果状態（ＤＳ）信号を得る復号処理ステップと、前記得られたＤＳ信号をビットストリームとして出力する、または記録媒体に記録する復号処理結果状態信号出力ステップと、第２フレーム以降のデータについて、あるフレームのデータとそのフレームと隣接するフレームのデータとを直交変換処理して符号化する、通常符号化処理ステップと、該通常符号化処理処理ステップにおいて得られた符号化データをビットストリームとして出力するまたは記録媒体に記録する符号化データ出力ステップと、前記通常符号化処理ステップの処理と、前記符号化データ出力ステップの処理とを、符号化すべきデータについて反復処理することを管理する、反復処理管理ステップと、を有する符号化方法が提供される。
【００１１】
本発明の第２の観点によれば、隣接するフレームのデータを直交変換処理して符号化する符号化装置であって、初期符号化処理として、第１フレームのデータと第２フレームのデータとを直交変換処理して符号化する、初期符号化処理手段と、前記初期符号化処理手段により生成された符号化データを復号し、復号処理結果状態（ＤＳ）信号を得る復号処理手段と、前記得られたＤＳ信号をビットストリームとして出力する、または記録媒体に記録する復号処理結果状態信号出力手段と、第２フレーム以降のデータについて、あるフレームのデータとそのフレームと隣接するフレームのデータとを直交変換処理して符号化する、通常符号化処理手段と、該通常符号化処理処理手段において得られた符号化データをビットストリームとして出力するまたは記録媒体に記録する符号化データ出力手段と、前記通常符号化処理ステップの処理と、前記符号化データ出力ステップの処理とを、符号化すべきデータについて反復処理することを管理する、反復処理管理手段と、を有する符号化装置が提供される。
【００１２】
本発明の第３の観点によれば、隣接するフレームの符号化データを逆直交変換処理して符号化前のデータを復号する復号化方法であって、符号化前の第１フレームのデータと符号化前の第２フレームのデータとの直交変換処理結果としての第１フレームの符号化データを復号したときに得られる復号処理結果状態（ＤＳ）信号を入力し、第２フレーム以降のデータの復号化方法の条件として設定する復号化条件設定ステップと、第２フレーム以降の符号化データについて順次、隣接する２つのフレームの符号化データを逆直交変換して符号化前の元のフレームのデータを復号する、復号処理ステップとを有する復号化方法が提供される。
【００１３】
本発明の第４の観点によれば、隣接するフレームの符号化データを逆直交変換処理して符号化前のデータを復号する復号化装置であって、符号化前の第１フレームのデータと符号化前の第２フレームのデータとの直交変換処理結果としての第１フレームの符号化データを復号したときに得られる復号処理結果状態（ＤＳ）信号を入力し、第２フレーム以降のデータの復号化方法の条件として設定する復号化条件設定手段と、第２フレーム以降の符号化データについて順次、隣接する２つのフレームの符号化データを逆直交変換して符号化前の元のフレームのデータを復号する、復号処理手段とを有する復号化装置が提供される。
【００１４】
本発明の第５の観点によれば、上記符号化方法と上記復号化方法とを有する符号化・復号化方法が提供される。
【００１５】
本発明の第６の観点によれば、上記符号化・復号化方法を実施する符号化・復号化装置が提供される。
【発明の効果】
【００１６】
本発明の符号化装置と方法によれば、第２番目以降のフレームのデータの復号化処理を迅速にできるに負担をかけない符号化データを提供できる。
さらに本発明の符号化装置と方法によれば、記録媒体に記録するデータの量が少なくなる。
【００１７】
本発明の復号化装置と方法によれば、第１番目の符号化音データを復号処理して復号処理結果状態（ＤＳ）信号を生成する必要がなく、第２番目以降の符号化音データを迅速に復号処理できる。
【００１８】
本発明の符号化・復号化装置と方法によれば、上述した本発明の符号化装置と方法による効果と、上述した本発明の復号化装置と方法による効果を相乗して効果が得られる。
【発明を実施するための最良の形態】
【００１９】
第１実施の形態
図１〜図３を参照して本発明の符号化装置の実施の形態として音声、楽音などの音データを符号化する符号化装置について述べる。
図１は本発明の符号化装置の実施の形態として、音データを符号化処理するオーサリング装置の構成図である。
図２（Ａ）、（Ｂ）は図１に図解したオーサリング装置の処理内容を示す図である。
図３は図１に図解したオーサリング装置の処理内容を示すフローチャートである。
【００２０】
図１に図解したオーサリング装置１は、本発明の符号化装置に該当し、符号化処理部１１と、データ記録部１２と、復号化処理部１３と、復号処理結果状態（ＤＳ）信号出力部１４とを有する。
符号化処理部１１が、図３のステップ２の初期符号化処理ステップおよびステップ６の通常符号化処理ステップを実施する手段に該当し、データ記録部１２がステップ１、４、７のデータ記録を行う処理を行う手段に該当し、復号化処理部１３がステップ３の復号処理ステップの処理を行い復号処理結果状態（ＤＳ）信号を生成する手段に該当し、さらに、符号化処理部１１はステップ５の反復処理管理ステップを行う手段に該当する。
【００２１】
図２（Ａ）、（Ｂ）、図３を参照して図１に図解したオーサリング装置１の動作を述べる。図２（Ａ）は符号化すべき音データがフレーム単位で連続していることを示しており、図２（Ｂ）は符号化された音データを示している。
【００２２】
ステップ１：ヘッダ処理
符号化処理部１１は、符号化処理に先立って、図２（Ｂ）に図解したヘッダに該当する情報をデータ記録部１２に送出する。
データ記録部１２は、符号化処理部１１から出力されたヘッダ情報を、たとえば、ＣＤ−ＲＯＭ、ＭＤなどの記録媒体３の、図２（Ｂ）に図解した位置に記録する。
【００２３】
ステップ２：初期符号化処理
符号化処理部１１は、図示しない記録媒体、たとえば、磁気テープから、または、ビットストリームとして提供される、図２（Ａ）に図解した連続的な音データを連続的に入力し、連続する２フレームのデータについて直交変換処理、たとえば、ＡＴＲＡＣ処理を行う。
ここでは、初期符号化処理として、符号化処理部１１は、第１番目のフレームの音データと、第２番目のフレームの音データとをＡＴＲＡＣ処理する。ＡＴＲＡＣ処理した結果が、第１番目のフレームの符号化音データ♯１Ａ−Ｆとして得られる。
この第１番目の符号化音データ♯１Ａ−Ｆは、後述する復号化装置においては再生データとしては使用されないので、本実施の形態においては記録媒体３には記録しない。
【００２４】
ステップ３：符号化データの復号化処理
符号化処理部１１は、上記第１番目の符号化音データ♯１Ａ−Ｆを復号化処理部１３に出力する。
復号化処理部１３は上記第１番目の符号化音データ♯１Ａ−Ｆを復号処理する。復号化処理部１３における復号処理は、符号化処理部１１における符号化のための直交変換処理と逆の処理であり、本実施の形態においては、ＡＴＲＡＣ処理と逆の逆ＡＴＲＡＣ処理を行う。
復号化処理部１３における上記復号処理によって、図２（Ａ）に図解した、第１番目のフレームの音データと第２番目のフレームの音データとが復号（再生）されるが、それとともに、復号化処理部１３における復号処理に関する各種パラメータが得られる。そのようなパラメータを含む信号を復号処理結果状態（ＤＳ）信号という。
【００２５】
ステップ４：復号処理結果状態（ＤＳ）信号の出力および記録
復号化処理部１３は得られた復号処理結果状態（ＤＳ）信号を復号処理結果状態（ＤＳ）信号出力部１４に出力し、ＤＳ信号出力部１４はＤＳ信号をデータ記録部１２に出力する。
データ記録部１２は入力したＤＳ信号を、記録媒体３の図２（Ｂ）に図解したヘッダの後に位置に記録する。
【００２６】
ステップ５：終了判定
反復処理管理手段としても動作する符号化処理部１１は、図示しない記録媒体、たとえば、磁気テープから、または、ビットストリームとして提供される、図２（Ａ）に図解した連続的な音データがなくなり、符号化処理が終了するまで、下記の処理を行う。
【００２７】
ステップ６：通常符号化処理
符号化処理部１１は、第２番目のフレームの音データと第３番目のフレームの音データとをＡＴＲＡＣ処理する。ＡＴＲＡＣ処理した結果が、第２番目のフレームの符号化音データ♯２Ａ−Ｆとして得られる。
【００２８】
ステップ７：符号化データの記録
データ記録部１２は、データ記録部１２は、符号化処理部１１から出力された第２番目のフレームの符号化音データ♯２Ａ−Ｆを、記録媒体３の、図２（Ｂ）に図解した、ＤＳ信号を記録した部分の後に記録する。
【００２９】
以下、ステップ６の符号化処理部１１による符号化処理が第２番目以降のフレームの音データについて、連続するフレームの音データについて行う。その結果を、データ記録部１２がステップ７の処理として、記録媒体３に記録していく。
【００３０】
以上の処理により、記録媒体３には、図２（Ｂ）に図解した、ヘッダＨＤ、ＩＳ信号、第２番目のフレームの符号化音データ♯２Ａ−Ｆ、第３番目のフレームの符号化音データ♯３Ａ−Ｆと連続する符号化音データが記録される。
【００３１】
本実施の形態のオーサリング装置１によれば、記録媒体３に、第１番目の符号化音データ♯１Ａ−Ｆを記録する必要がない。
また本実施の形態のオーサリング装置１の結果、すなわち、復号処理結果状態（ＤＳ）信号を用いると、後述する復号化装置２において復号処理結果状態（ＤＳ）信号を生成するため、第１番目の符号化音データ♯１Ａ−Ｆの復号処理を行う必要がない。その結果、第２番目以降のフレームのデータの復号（再生）時間が迅速になる。
【００３２】
第２実施の形態
図４、５を参照して本発明の復号化装置の実施の形態について述べる。
図４は本発明の復号化装置の実施の形態としての構成図である。
図５は図４に図解した復号化装置の処理を示すフローチャートである。
図４に図解した復号化装置２は、復号処理結果状態（ＤＳ）信号入力・設定部２１と、復号化処理部２２とを有する。復号化処理部２２は、復号処理結果状態（ＤＳ）信号などのパラメータを記憶するメモリ２２２と、逆直交変換処理して符号化データを復号する復号化処理ユニット２２１とを有する。
復号化処理ユニット２２１は、オーサリング装置１の復号化処理部１３と同じ方法、たとえば、逆ＡＴＲＡＣ処理して符号化データを復号処理する。
ＤＳ信号入力・設定部２１がステップ１１、１２の処理を行い、復号化処理部２２がステップ１３、１４の処理を行う。
【００３３】
ステップ１１、１２：ヘッダおよびＤＳ信号の読み取り、設定
復号処理結果状態（ＤＳ）信号入力・設定部２１は、復号化装置２に上記記録媒体３が装荷されたとき、あるいは、上記符号化データがビットストリームとして提供されたときまず、ヘッダＨＤを読み取り、次いで、ＤＳ信号を読み取る。
ＤＳ信号入力・設定部２１が読み取ったヘッダＨＤとＤＳ信号とは復号化処理部２２のメモリ２２２に記憶される。
メモリ２２２に記憶されたＤＳ信号は復号化処理ユニット２２１において第２番目のフレーム以降の符号化データに使用される。
【００３４】
ＤＳ信号は、オーサリング装置１の復号化処理部１３において、初期符号化処理として第１番目のフレームの音データと第２番目のフレームの音データとをＡＴＲＡＣ処理して、第１番目の符号化音データ♯１Ａ−Ｆを生成し、復号化処理部１３においてこの第１番目の符号化音データ♯１Ａ−Ｆを復号したときに得られた、復号化処理部１３の復号処理結果状態（ＤＳ）信号である。
復号化処理部１３と復号化処理ユニット２２１とは同じ復号方法で符号化データの復号処理を行うから、復号化処理部１３で得られた復号処理結果状態（ＤＳ）信号を用いると、復号化処理ユニット２２１で復号化処理部１３のように再度復号処理結果状態（ＤＳ）信号の生成処理を行う必要がない。
すなわち、復号処理部２２内のメモリ２２２に設定されたオーサリング装置１で得られた復号処理結果状態（ＤＳ）信号を用いると、復号化処理ユニット２２１は図２（Ｂ）に図解した第２番目の符号化音データ♯２Ａ−Ｆを即座に復号処理できる。
【００３５】
ステップ１３〜１４：復号処理
復号化処理ユニット２２１は、第２番目の符号化音データ♯２Ａ−Ｆ以降の符号化音データについて、隣接する２フレームの符号化音データについて、復号化処理部１３と同様、逆ＡＴＲＡＣ処理などの逆直交変換処理を行って、図２（Ａ）に図解した、オーサリング装置１に入力される前の元の音データをフレーム単位で再生する。
【００３６】
このように、オーサリング装置１の復号化処理部１３で得られた復号処理結果状態（ＤＳ）信号を用いて符号化音データを復号処理する復号化処理部２２は、第１番目の符号化音データ♯１Ａ−Ｆについて復号処理して復号処理結果状態（ＤＳ）信号を生成する必要がないから、迅速に、第２番目の符号化音データ♯２Ａ−Ｆ以降の符号化音データを復号処理できる。
【００３７】
第３実施の形態
第１実施の形態の符号化装置と第２実施の形態の復号化装置とを組み合わせると、本発明の符号化・復号化装置の実施の形態となる。
【００３８】
変形態様
第１実施の形態の符号化装置としては、図２（Ｂ）に図解したように、第１番目の符号化音データ♯１Ａ−Ｆを記録媒体３に記録させないようにしたが、図６（Ｂ）に図解したように、ヘッダＨＤ、ＤＳ信号に続けて、第１番目の符号化音データ♯１Ａ−Ｆを記録媒体３に記録させてもよい。
この場合、上述した復号化処理部２２（復号化処理ユニット２２１）は、第１番目の符号化音データ♯１Ａ−Ｆを使用しないだけである。
他方、ＤＳ信号入力・設定部２１を備えていない既存の復号処理部は、ＤＳ信号を使用しないで、従来同様、第１番目の符号化音データ♯１Ａ−Ｆを復号処理して、ＤＳ信号に対応する情報を生成し、その情報を用いて、第２番目の符号化音データ以降の符号化音データを復号することができる。
【００３９】
本発明の実施に際しては、上述した例示には限定されない。
たとえば、符号化処理部１１における直交変換処理、および、復号化処理部１３における逆直交変換処理として、ＡＴＲＡＣおよび逆ＡＴＲＡＣを例示したが、他の直交変換処理方法、たとえば、ＭＰ３などを適用することができる。
【図面の簡単な説明】
【００４０】
【図１】図１は本発明の符号化装置の実施の形態としてのオーサリング装置の構成図である。
【図２】図２（Ａ）、（Ｂ）は図１に図解したオーサリング装置における信号処理を説明する図である。
【図３】図３は図１に図解したオーサリング装置の処理内容を示すフローチャートである。
【図４】図４は本発明の復号化装置の実施の形態としての復号化装置の構成図である。
【図５】図５は図４に図解した本発明の復号化装置の実施の形態における処理内容を示すフローチャートである。
【図６】図６（Ａ）、（Ｂ）は図１に図解したオーサリング装置における他の信号処理を説明する図である。
【図７】図７（Ａ）、（Ｂ）は従来の符号化装置における信号処理を説明する図である。
【符号の説明】
【００４１】
１・・オーサリング装置
１１・・符号化処理部、１２・・データ記録部
１３・・復号化処理部、１４・・復号処理結果状態（ＤＳ）信号出力部
２・・復号化装置
２１・・復号処理結果状態（ＤＳ）信号入力・設定部
２２・・復号化処理部
２２１・・復号化処理ユニット、２２２・・メモリ
３・・記録媒体
【図１】
2005215595.tif 000003
【図２】
2005215595.tif 000004
【図３】
2005215595.tif 000005
【図４】
2005215595.tif 000006
【図５】
2005215595.tif 000007
【図６】
2005215595.tif 000008
【図７】
2005215595.tif 000009